(57)【要約】【課題】植木に自動的に水を供給することができ、かつ、水の供給を停止可能として水量を調節することのできる植木への自動給水具を提供することを目的とするものである。【解決手段】合成樹脂製の撓み性を有する細長い給水管２内に、天然繊維の綿糸からなる吸水性のよい多数本の糸からなる吸水体３を挿入するとともに給水管２の一端側から吸水体３を露出させて給水部４を形成する。また、給水管２の一端は斜めに切断し、尖った挿込み口８から吸水体３を長く露出させる。また、合成樹脂製の撓み性を有する細長い給水管２内に、天然繊維の綿糸からなる吸水性のよい多数本の糸からなる吸水体３を挿入するとともに給水管２の一端には挿込み管９を連結し、挿込み口８を尖らせた挿込み管９から吸水体３を露出させる。【選択図】図１
0003111979.tif 000002
【実用新案登録請求の範囲】
【請求項１】
合成樹脂製の細長い給水管２内に、吸水性のよい多数本の糸からなる吸水体３を挿入するとともに給水管２の一端側から吸水体３を露出し、給水部４を形成したことを特徴とする植木自動給水具。
【請求項２】
合成樹脂製の細長い給水管２内に、吸水性のよい多数本の糸からなる吸水体３を挿入するとともに給水管２の一端側から吸水体３を露出して給水部４を形成し、給水部４を突出させた側の給水管２先端を尖らせて挿込み口８を形成したことを特徴とする植木自動給水具。
【請求項３】
合成樹脂製の細長い給水管２内に、吸水性のよい多数本の糸からなる吸水体３を挿入するとともに給水管２の一端には給水管２より太い挿込み管９を連結し、先端を尖らせて挿込み口８とした挿込み管９から吸水体３を露出させて給水部４を形成したことを特徴とする植木自動給水具。
【請求項４】
吸水体３は、天然繊維の綿糸であることを特徴とする請求項１、２および３に記載する植木自動給水具。
【考案の詳細な説明】
【技術分野】
【０００１】
本考案は、主として植木鉢で栽培する花や観葉植物、盆栽等の植木に毛細管現象で自動的に水やりをすることのできる給水具に関するものである。
【背景技術】
【０００２】
植木鉢で栽培している花や観葉植物等には定期的にあるいは必要に応じて水を与えている。水やりを忘れると枯らしてしまい、また、水を多く与えすぎると根腐れを生ずることがある。特に、旅行等で長い間留守にする場合には水を与えることができず枯らしてしまうことがある。
【０００３】
植木への水やりを忘れることなく自動的に給水する装置として、例えば、特開平５−４９３５４に示される「自動水やり器」がある。この水やり器は、給水容器４と給水口６と給水パイプ７とからなる給水経路、止水栓８と懸垂手段１０と形状記憶合金部材９と固定板１１とからなる開閉手段および感光センサー１２とコントローラ１４と電源部１３とからなるセンサー付き駆動手段からなるものである。
【０００４】
この公知技術は、太陽の光量がある一定値以下になったことをコントローラー１４が検知すると形状記憶合金部材９に加熱指令を発する。形状記憶合金部材９は、加熱されて所定の温度に達すると先端の自由端が上方に弓なりに変形し、これに連結する懸垂手段１０が上方に引かれるために止水栓８が給水口６から引き上げられ給水経路は開となるので、給水容器４から給水口４を通して給水パイプ７に水が流れ、植木鉢に水が供給される。
【０００５】
また、実用新案登録第３０４６９８５号として植木鉢に対する水やり装置が提供されている。この公知技術は、植木鉢に水容器をセットし、水容器の上部にあけた穴に導水管を差し込み、毛細管現象で導水管を伝わる水を水滴として植木鉢に点滴するものである。
【特許文献１】特開平５−４９３５４公報
【特許文献２】実用新案登録第３０４６９８５号公報
【考案の開示】
【考案が解決しようとする課題】
【０００６】
上記する従来技術において特許文献１に記載する技術は、一台の植木鉢に水やりをするためには装置が大掛かりであり、高価であること、形状記憶合金部材９の温度が下がらないと植木鉢には常に水が供給され、水を与えすぎる原因となる。また、特許文献２に記載する技術は、水容器に水がある限り導水管を伝わって植木鉢に水が供給され、水やりが多すぎる原因となる。
総じて両技術ともに植木に与える水量が多すぎ、根腐れの原因となるものである。
【０００７】
本考案は、上記する従来技術の問題点に鑑み、植木に自動的に水を供給することができ、かつ、水の供給を停止可能として水量を調節することのできる植木への自動給水具を提供することを目的とするものである。
【課題を解決するための手段】
【０００８】
本考案植木自動給水具は、合成樹脂製の細長い給水管２内に、吸水性のよい多数本の糸からなる吸水体３を挿入するとともに給水管２の一端側から吸水体３を露出し、給水部４を形成したものである。また、合成樹脂製の細長い給水管２内に、吸水性のよい多数本の糸からなる吸水体３を挿入するとともに給水管２の一端側から吸水体３を露出して給水部４を形成し、給水部４を突出させた側の給水管２先端を尖らせて挿込み口８を形成したものである。
【０００９】
更に、本考案植木自動給水具は、合成樹脂製の細長い給水管２内に、吸水性のよい多数本の糸からなる吸水体３を挿入するとともに給水管２の一端には挿込み管９を連結し、挿込み口８を尖らせた挿込み管９から吸水体３を露出させたものである。
上記する各発明において吸水体３は、天然繊維の綿糸としたものである。
【考案の効果】
【００１０】
本考案は給水管２内に吸水性のよい吸水体３を挿し入れるとともに先端を尖らせた挿込み口４から吸水体３を長く露出させてあるので、挿込み口４を植木鉢５の土６に挿し込んで吸水体３を土６の中に広げるように押し込み、給水管２の他端は水を収容した容器７に入れることで毛細管現象が働き、水を自動的に供給することができる。
【００１１】
土６に水が充分に浸透すると吸水体３は水の吸収を停止するので、余分な水やりをすることがない。土６の水分が少なくなると吸水体３が容器７内の水を吸引し、植木に水を与えるので、植木には常に必要量の水が供給されることになる。
【００１２】
給水管２の一端に、挿込み管８を連結し、この挿込み管８から吸水体３を伸ばすことにより、土６の中に挿し込みやすくなるとともに挿込み管８を給水管２よりも硬い材質で構成すれば繰り返しの使用が可能である。
【考案を実施するための最良の形態】
【００１３】
以下、図面に従って本考案の実施形態を説明する。
図１は、本考案給水具の一実施形態を示すものであり、給水具本体１は、合成樹脂製の柔軟性、撓み性を有する細長い給水管２内に吸水性のよい多数本の糸からなる吸水体３を挿入する。吸水体３は、給水管２の全長に挿し入れるが、給水管２の一端側から適当な長さを露出させて給水部４を形成する。
【００１４】
このような給水具本体１は、図２に示すように、給水管２の給水部４を設けた側を植木鉢５の土６の中に挿し込み、他端側を水を入れたビンやペットボトルのような給水容器７に挿し入れる。吸水体３が毛細管現象で給水容器７内の水を吸い、自動的に水を土６に供給することになる。
【００１５】
給水管２の一端を土６に挿し込んだ時、給水管２から伸ばした吸水体３が放射状態に広がって土６の中に押し込まれるので、多数本の吸水体３と土６との接触面が広くなり、広い範囲に水が浸透し、植木に水を与えることができる。
【００１６】
植木鉢５と給水容器７とを給水具本体１で連結することで自動的に水やりをすることができるが、ある程度、水を吸うと土６の中で水量が飽和状態となり、それ以上水を吸うことがなくなる。そして、土６の水分が少なくなると、自動的に水を吸うようになる。尚、植木鉢５０と給水容器７との高さは同じである必要はない。給水容器７が低い位置にあっても植木鉢５に給水が可能である。
【００１７】
給水管２内に、給水管２の内径を無視して多数本の吸水体３を無理に押し込むと目詰まり現象を生じ、給水率が悪くなるので、毛細管現象が働き、かつ、簡単に抜け出ることのない程度の本数としておくことが望ましい。上記の説明では給水管２の尖らせた挿込み口４側から吸水体３を伸ばした状態を説明したが、これに限定するものではない。給水管２の両側から吸水体３を伸ばすようにしてもよい。
【００１８】
図３は、本考案給水具の第二の実施形態を示すものであり、前記の実施形態と同じ部分は同じ名称と符号を使用している。
この実施形態においては給水部４を突出した側の給水管２の先端を斜めに切断し、尖らせた挿込み口８を形成したことに特徴を有している。このような構成としたことにより挿込み口８から土６内に挿し込みやすくなる
【００１９】
図４は、本考案給水具の第三の実施形態を示すものであり、前記の各実施形態と同じ部分は同じ名称と符号を使用している。
この実施形態では吸水体３を挿入した給水管２の一端側に、給水管２よりも太く、かつ、硬さを有する挿込み管９を連結して挿込み管９内にも吸水体３を挿し込み、先端を尖らせて挿込み口８とした挿込み管９から吸水体３を露出させて給水部４を形成したことに特徴を有している。
【００２０】
給水具本体１をこのような構成としたことにより、挿込み管９を土６の中に挿し込みやすく、また、挿込み管９自体が堅牢性を有しているから繰り返し使用することができる。
特に、給水管２よりも太い内径を有する挿込み管９に吸水体３を挿し入れて給水部４を形成した時、吸水体３の本数は同じであるから、挿込み管９内で吸水体３は自由度を有する。
【００２１】
従って、挿込み管９の挿込み口８を土６の中に挿し込んだ時、給水部４は放射方向に広がりやすく、更に広い範囲に水を供給することができる。
尚、各実施形態で使用する給水管２や挿込み管９は、透明、半透明あるいは不透明または着色を施したものいずれであってもよい。また、本考案給水具は、植木鉢だけではなく、庭に植えてある花や植物等に給水するために使用してもよい。
【実施例１】
【００２２】
給水管２としては、内径を５ｍｍ、外径を７ｍｍとし、全体の長さが４５０ｍｍのビニールホースを使用した。そして、挿込み口４は、４５°の角度にカットして尖らせた。また、糸状の吸水体３としては、天然繊維の綿糸を１１０〜１１９本束ねたものを給水管２内に挿し入れて使用した。
【００２３】
使用した綿糸は、強度があって吸水性がよく、また、水に濡れたり乾燥した場合でも収縮性に変化が無いので効率よく水を与えることができた。給水管２の挿込み口４から出た吸水体３は、土６となじみやすく、水やりが良好であった。給水容器７内に液肥を入れることで、植木の生育が良好であった。
【産業上の利用可能性】
【００２４】
一般家庭で各種の植木類に自動的に水やりを行うことができる。また、会社や工場その他の場所で植木を置いている場合、休日でも自動的に水を与えることができるので植木を枯らすことがない。
【図面の簡単な説明】
【００２５】
【図１】本考案給水具の第一の実施形態を示す一部を破断した斜視図である。
【図２】本考案給水具の使用状態を示す正面図である。
【図３】本考案給水具の第二の実施形態を示す一部を破断した斜視図である。
【図４】本考案給水具の第三の実施形態を示す斜視図である。
【符号の説明】
【００２６】
１  給水具本体
２  給水管
３  吸水体
４  給水部
５  植木鉢
６  土
７  給水容器
８  挿込み口
９  挿込み管
【図１】
0003111979.tif 000003
【図２】
0003111979.tif 000004
【図３】
0003111979.tif 000005
【図４】
0003111979.tif 000006